(57)【要約】  本発明は、従来の技術における課題を解決する経皮的薬剤配達装置を提供する。従来の技術では、負圧力により生じる外側の環状キャビティの吸引力が弱められ、アプリケーションディスクが落ちやすかった。経皮的薬剤配達装置は第１頂面、環状外壁、環状内壁、第１接続チューブおよび中央環状キャビティを含む。ここで、環状外壁および環状内壁は第１頂面の２つの側に配置され、そして、第１頂面の１の側に固定して接続され、第１頂面、環状外壁および環状内壁は第１環状キャビティを構成する。また、第１接続チューブの一端は第１環状キャビティに接続され、第１接続チューブの他端は負圧源に接続される。中央環状キャビティは薬を置くために使われ、第１環状壁および第２頂面を備える。第１環状壁は環状底を介し環状内壁の一端と接続される。そして、環状内壁、環状底および第１環状壁は、第１頂面の方向に開いた環状溝を形成する。経皮的薬剤配達装置は、環状溝の上端部の開閉を通して曲率の変化に適応する。したがって、第１環状キャビティは第２頂面により制御されるのを防がれる。そして、平らではない部分に使用されるアプリケーションディスクは落ちにくくなる。
2016507310.tif 000002
【特許請求の範囲】
【請求項１】
第１頂面（１）と、
第１頂面（１）の２つの側に配置されて、前記第１頂面（１）の１の側に固定して接続され、前記第１頂面（１）と共に第１環状キャビティ（４）を構成する環状外壁（２）および環状内壁（３）と、
一端は前記第１環状キャビティ（４）に接続され、他端は負圧源に接続される第１接続チューブ（５）と、
薬を置くための中央環状キャビティ（６）と、
を備え、
前記中央環状キャビティ（６）は、第１環状壁（７）および第２頂面（８）を備え、
前記第１環状壁（７）は第１環状底（９）を介して前記環状内壁（３）の一端と接続され、
前記環状内壁（３）、前記第１環状底（９）および前記第１環状壁（７）は、前記第１頂面（１）の方向に開いた第１環状溝（１０）を形成することを特徴とする経皮的薬剤配達装置。
【請求項２】
第２環状壁（２１）、第３環状壁（２２）および第２環状底（２３）を更に含み、
これらの要素は、前記第２頂面（８）の方向へ開く第２環状溝（２４）を構成することを特徴とする請求項１に記載の経皮的薬剤配達装置。
【請求項３】
第４環状壁（１１）および第２接続チューブ（１２）を更に含み、
前記第４環状壁（１１）および前記第２頂面（８）は第２環状キャビティ（１３）を構成し、
前記第１環状壁（７）、前記第４環状壁（１１）および前記第２頂面（８）は、中央環状分離キャビティ（１４）を構成し、
前記第２接続チューブ（１２）の一端は前記第２環状キャビティ（１３）に接続され、
その他端は負圧源に接続されることを特徴とする請求項１に記載の経皮的薬剤配達装置。
【請求項４】
前記第２頂面（８）上に配置され前記第１接続チューブ（５）を支持する連結柱（１５）を更に含み、
前記第１接続チューブ（５）の一端は前記連結柱（１５）を通過して前記第１環状キャビティ（４）に接続され、
その他端は負圧源に接続されることを特徴とする請求項１に記載の経皮的薬剤配達装置。
【請求項５】
前記第１接続チューブ（５）が負圧源接続部（１６）および第１環状キャビティ接続部（１７）を更に含み、
前記負圧源接続部（１６）は前記第１環状キャビティ接続部（１７）と接続され、
前記第１環状キャビティ接続部（１７）の一端は前記第１環状キャビティ（４）と接続され、
その他端は、前記第１環状キャビティ接続部（１７）が前記負圧源接続部（１６）と接続される箇所において前記第２環状キャビティ（１３）と接続されることを特徴とする請求項３に記載の経皮的薬剤配達装置。
【請求項６】
前記第１環状キャビティ接続部（１７）の長さが前記第１環状キャビティ（４）と前記第２環状キャビティ（１３）との間の水平状態下での直線距離より長いことを特徴とする請求項５に記載の経皮的薬剤配達装置。
【請求項７】
第３環状壁（２２）および第４環状壁（１１）を更に含み、
前記第３環状壁（２２）および前記第２頂面（８）が第３環状キャビティ（１８）を構成し、
前記第４環状壁（１１）および前記第２頂面（８）が第４環状キャビティ（１９）を構成し、
さらに、前記第２環状キャビティ（１３）、前記第３環状キャビティ（１８）および前記第４環状キャビティ（１９）は、互いに等しい距離で前記第２頂面（８）に配置されることを特徴とする請求項６に記載の経皮的薬剤配達装置。
【請求項８】
前記第１接続チューブ（５）が、
一端が前記第３環状キャビティ（１８）に接続され、他端が前記負圧源に接続される第２環状キャビティ接続部と、
一端が前記第４環状キャビティ（１９）に接続され、他端は前記負圧源に接続される第３環状キャビティ接続部と、
を備えることを特徴とする請求項７に記載の経皮的薬剤配達装置。
【請求項９】
皮膚（２０）が負圧力によって過度に伸ばされ、損傷を受けるのを防止する環状クッション（２５）を更に含み、
当該環状クッション（２５）は前記第１環状キャビティ（４）に配置されることを特徴とする請求項１〜８の何れか１項に記載の経皮的薬剤配達装置。
【請求項１０】
前記環状クッション（２５）が通気性の環状クッション（２５）であることを特徴とする請求項９に記載の経皮的薬剤配達装置。
【発明の詳細な説明】
【技術分野】
【０００１】
本発明は医療装置に関し、特に経皮的薬剤配達装置に関する。
【背景技術】
【０００２】
２００１年７月１８日に発表された中国特許ＣＮ９９１２６０４７．３には経皮的薬剤配達装置について記載されている。アプリケーションディスクは皮膚の上で使用され、治療のために薬を皮膚に押圧する。装置が治療に使用されるとき、アプリケーションディスクは皮膚の上で使用され、外側の環状キャビティが負圧源に接続されていることによる負圧力により生じる吸引力によって、外側の環状キャビティが皮膚を持ち上げ、そして、アプリケーションディスクが皮膚上で使用されると、同時に中央キャビティは完全に封止され、中央キャビティに入れられた薬の揮発成分はキャビティの外へ逃れることが出来なくなる。実際の使用においては、アプリケーションディスクは幾つかの状況において、落ちる傾向にある。
【０００３】
１．外側の環状キャビティの頂面と中央キャビティの頂面は密接に接続された１つの平面または曲面である。アプリケーションディスクは特定の厚みを有し、その頂面は皮膚からの距離があるため、アプリケーションディスクは体の平らな部分には確実に使用されることができる。しかし、例えば部分曲率の大きい項部、脚および腕などの平らではない部分にアプリケーションディスクが使用される時、アプリケーションディスクの中央キャビティの頂面は外側のキャビティの頂面に大きな力を印加し、そのため、負圧力による外側の環状キャビティの吸引力は弱まり、アプリケーションディスクは落ちやすくなり、治療に悪影響がでる。
【０００４】
２．中央キャビティの温度は、皮膚および／または外部の熱源により加熱されるため、徐々に上昇し、そして薬は徐々に揮発し、このため、中央キャビティの圧力は徐々に上昇し、薬の経皮的配達を加速する。上昇した圧力は、中央キャビティの頂面を外側に持ち上げる力を印加する。圧力が比較的大きい場合は、頂面は押し出て、外側のキャビティの頂面に対して大きな力を発生させる。負圧力による外側の環状キャビティの吸引力は弱まり、アプリケーションディスクは落ちやすくなり、治療に悪影響がでる。
【０００５】
３．この解決方法では真空チューブは外側の環状キャビティの頂面上に配置される。治療中に、たとえば偶然触られるなどして真空状態が引っ張られた時、真空チューブに加わる引っ張り力は、外側の環状キャビティの頂面を通して環状外壁に届き、このため、負圧力による吸引力は弱まり、アプリケーションディスクは落ちやすくなり、治療に悪影響がでる。
【発明の概要】
【発明が解決しようとする課題】
【０００６】
本発明は、外側の環状キャビティの負圧力から生じる吸引力が弱まる事で、アプリケーションディスクが落ちやすくなると言う先行技術の問題点を解決するための経皮的薬剤配達装置を提供する。
【課題を解決するための手段】
【０００７】
技術的な解決方法は以下のように実行される。
本発明における経皮的薬剤配達装置は、
第１頂面と、外壁と内壁が第１頂面の２つの側に配置されて、第１頂面の１の側に固定して接続され、第１頂面と共に第１環状キャビティを構成する環状外壁および環状内壁と、
第１接続チューブの一端が第１環状キャビティと接続され、他端は負圧源と接続される第１接続チューブと、
薬を置くための中央環状キャビティと、を備える。
中央環状キャビティは、第１環状壁および第２頂面を備え、第１環状壁は第１環状底を介して環状内壁の一端と接続される。
環状内壁、第１環状底および第１環状壁は、第１頂面の方向に開いた第１環状溝を形成する。
【０００８】
好ましくは、経皮的薬剤配達装置は、第２環状壁、第３環状壁および第２環状底を含み、これらの３つは第２頂面の方向に開いた第２環状溝を構成する。
【０００９】
好ましくは、経皮的薬剤配達装置は、第４環状壁および第２接続チューブを含む。第４環状壁および第２頂面は第２環状キャビティを構成する。第１環状壁、第４環状壁および第２頂面は中央環状分離キャビティを構成する。第２接続チューブの一端は第２環状キャビティに接続され、その他端は負圧源に接続される。
【００１０】
好ましくは、経皮的薬剤配達装置は、第２頂面の上に配置され、第１接続チューブを支持するための連結柱を更に含む。第１接続チューブの一端は、連結柱を通過して第１環状キャビティに接続され、他端は負圧源に接続される。
【００１１】
好ましくは、第１接続チューブは負圧源接続部と第１環状キャビティ接続部を更に含み、負圧源接続部は第１環状キャビティ接続部と接続され、第１環状キャビティ接続部の一端は第１環状キャビティと接続され、第１環状キャビティ接続部が負圧源接続部と接続される箇所において、その他端は第２環状キャビティと接続される。
【００１２】
好ましくは、第１環状キャビティ接続部は、第１環状キャビティと第２環状キャビティ間の水平状態での直線距離よりも長い。
【００１３】
好ましくは、経皮的薬剤配達装置は、第３環状壁および第４環状壁を更に含む。第３環状壁および第２頂面は第３環状キャビティを構成する。第４環状壁および第２頂面は第４環状キャビティを構成する。第２環状キャビティ、第３環状キャビティおよび第４環状キャビティは、互いに等しい距離で第２頂面の上に配置される。
【００１４】
好ましくは、第１接続チューブは第２環状キャビティ接続部と第３環状キャビティ接続部を含み、第２環状キャビティ接続部の一端は第３環状キャビティに接続され、その他端は負圧源に接続される。第３環状キャビティ接続部の一端は第４環状キャビティに接続され、その他端は負圧源に接続される。
【００１５】
好ましくは、装置は、皮膚が負圧力により過度に伸ばされ、損傷することを防ぐ環状クッションを更に含む。環状クッションは第１環状キャビティの中に配置される。
【００１６】
好ましくは、環状クッションは通気性の環状クッションである。
【発明の効果】
【００１７】
環状内壁、第１環状底および第１環状壁が第１環状溝を構成する。装置が項部、脚または腕などの平らではない部分に使用される時、第１環状溝が第１頂面と第２頂面を分けるため、第１環状溝は頂面が開閉することで曲率の変化に適合し、そのため、第１環状キャビティが第２頂面に制御されるのを防ぎ、そして平らではない部分に使用された装置は落ちにくくなる。
【００１８】
さらに、負圧源と第２接続チューブを接続することにより皮膚上で使用することが出来る第２環状キャビティを配置することにより、空気圧による頂面の外側への押し出しおよび変形度を減らすことが可能になり、装置は落ちにくくなる。
【００１９】
さらに、第１接続チューブは連結柱を通って中央キャビティの上に固定されるため、第１接続チューブが引っ張られたとき、力は最初に第２頂面に印加され、第２頂面は状況に応じた弾性的な変形により力を和らげることが可能であり、このため、力が第１環状キャビティに直接届くのを防ぎ、第１環状キャビティの吸引力が弱まるのを防ぎ、そして、装置は落ちにくくなる。負圧源接続部が第１環状キャビティ接続部に接続されるとき、第１接続チューブに印加された力は第２頂面に届くため、第１環状キャビティの吸引力が弱まるのが防がれ、そして装置は落ちにくくなる。
【図面の簡単な説明】
【００２０】
本発明の技術的な解決方法、または従来の技術を更にはっきり説明するために、実施形態または従来の技術の説明に使われる図の簡単な説明を行う。明らかに、以下に示される図は本発明の実施形態に過ぎない。技術に熟練した人であれば創造的な労働をせずに、これらの図から他の図を得ることができる。
【図１】本発明による経皮的薬剤配達装置の第１実施形態を示す。
【図２】本発明による経皮的薬剤配達装置の第２実施形態を示す。
【図３】本発明による経皮的薬剤配達装置の第３実施形態を示す。
【図４】本発明による経皮的薬剤配達装置の第４実施形態を示す。
【図５】本発明による経皮的薬剤配達装置の第５実施形態を示す。
【図６】本発明による経皮的薬剤配達装置の第６実施形態を示す。
【図７】本発明による経皮的薬剤配達装置の中央環状キャビティの実施形態を示す。
【符号の説明】
【００２１】
１．第１頂面、２．環状外壁、３．環状内壁、４．第１環状キャビティ、５．第１接続チューブ、６．中央環状キャビティ、７．第１環状壁、８．第２頂面、９．第１環状底、１０．第１環状溝、１１．第４環状壁、１２．第２接続チューブ、１３．第２環状キャビティ、１４．中央環状分離キャビティ、１５．連結柱、１６．負圧源接続部、１７．第１環状キャビティ接続部、１８．第３環状キャビティ、１９．第４環状キャビティ、２０．皮膚、２１．第２環状壁、２２．第３環状壁、２３．第２環状底、２４．第２環状溝、２５．環状クッション
【発明を実施するための形態】
【００２２】
本発明の実施形態の技術的な解決方法は、図を結合させて明確に、完全に記載される。明らかに、記載される実施形態は使用の一部であり、全てではない。本発明の実施形態に基づき、技術に熟練した人であれば創造的な労働をせずに得られる他の全ての実施形態は、全て本発明の範囲に含まれる。
【００２３】
図１−７によると、本発明の経皮的薬剤配達装置は以下を備える。
第１頂面１および、環状外壁２および環状内壁３。ここで後者は、第１頂面１の２つの側に配置され、第１頂面１の１の側に固定して接続され、第１頂面１と共に第１環状キャビティ４を構成する。
第１接続チューブ５。ここで第１接続チューブ５の一端は第１環状キャビティ４と接続され、他端は負圧源と接続される。
薬を入れるための中央環状キャビティ６。
中央環状キャビティ６は、第１環状壁７、第２頂面８を備え、第１環状壁７は第１環状底９を介して環状内壁３の一端と接続される。
環状内壁３、第１環状底９および第１環状壁７は、第１頂面１の方向に開いた第１環状溝１０を形成する。
【００２４】
第１環状溝１０が第１頂面１と第２頂面８を分けるため、装置が項部、脚または腕などの平らではない部分に使用される時、第１環状溝１０は帳面が開閉することで曲率の変化に適合し、このため、第１環状キャビティ４が第２頂面によって制御されるのが防がれ、平らではない部分に使用される装置は落ちにくくなる。ここで、第１環状溝１０は環状内壁３、第１環状底９および第１環状壁７により形成される。
【００２５】
本発明のひとつの実施形態では、第１頂面１、環状外壁２および環状内壁３は第１環状キャビティ４を構成し、第１接続チューブ５の一端は第１環状キャビティ４に接続され、第１接続チューブ５の他端は負圧源に接続される。第１環状壁７と第２頂面８は中央環状キャビティ６を構成し、第１環状壁７は第１環状底９の一端と接続され、第１環状底９の他端は環状内壁３と接続され、このため、環状内壁３、第１環状底９および第１環状壁７は第１環状溝１０を構成する。使用時には、第１環状キャビティ４および中央環状キャビティ６は皮膚２０に適用され、薬は中央環状キャビティ６に置かれる。そして、皮膚２０は、第１接続チューブ５を介し負圧源によって生じる吸引力によって持ち上げられ、このため、第１環状キャビティは皮膚２０の上で吸引されることが可能であり、同時に、中央環状キャビティ６は完全に封止されることが可能であり、このため、中央環状キャビティ６に置かれた薬は揮発の後、外に逃れることが出来ない。さらに、装置が平らではない部分に使用される時、第１環状溝１０の開放端は開き、曲率の変化に適合し、そして第２頂面８は第１頂面１によって制御されるのを防がれ、第１環状キャビティ４の吸引力は弱められるのを防がれ、このため装置は落ちにくくなる。
【００２６】
図５に示すように、本発明のもう一つの実施形態では、経皮的薬剤配達装置は好ましくは、第２環状壁２１、第３環状壁２２および第２環状底２３を含み、これらの３つの構成要素は第２頂面８の方向へ開いた第２環状溝２４を構成する。
【００２７】
第２環状底２３の一端は第２環状壁２１と接続され、第２環状底２３の他端は第３環状壁２２と接続される。第２環状壁２１、第２環状底２３および第３環状壁２２は、第２環状溝２４を構成する。装置が大きな曲率を有する部分に使用されるときに、第２環状溝２４は第１環状溝１０を調整し、両方の溝の解放端は開いて、大きな曲率を有する部分の曲率に適応する。この設計では、第１環状キャビティ４の吸引力は弱められるのを更に防がれることが可能であり、装置は落ちにくくなる。
【００２８】
図２に示すように、本発明のもう一つの実施形態では、経皮的薬剤配達装置は好ましくは第４環状壁１１および第２接続チューブ１２を含む。第４環状壁１１および第２頂面８は第２環状キャビティ１３を構成する。第１環状壁７、第４環状壁１１および第２頂面８は中央環状分離キャビティ１４を構成する。第２接続チューブ１２の一端は第２環状キャビティ１３接続され、その他端は負圧源に接続される。
【００２９】
第４環状壁１１および第２頂面８は、第２接続チューブ１２によって負圧源と接続される第２環状キャビティ１３を構成する。中央環状キャビティ６は第２環状キャビティ１３によって、中央環状分離キャビティ１４に分けられる。この場合、第２接続チューブ１２は負圧源と直接接続される。もちろん、第２接続チューブ１２を第１接続チューブ５と接続し、そして第１接続チューブ５を介して負圧源と接続する事もできる。この方法ではコストをある程度節約することができる。これは実施の要求に依存し、限定は無い。使用時には、第２環状キャビティ１３の下にある皮膚２０は負圧源を介し第２接続チューブ１２により吸引され、すなわち、第２頂面８の中心部は碇止され、空気が膨張し、または、圧力が徐々に上昇する状況において、膨張もしくは突出せず、このため、第１環状キャビティ４の吸引力は弱められるのを防がれることが可能になり、装置は落ちにくくなる。
【００３０】
図３に示すように、本発明のもう一つの実施形態では、経皮的薬剤配達装置は好ましくは、第１接続チューブ５を支持するための連結柱１５を含む。連結柱１５は、第２頂面８上に配置される。第１接続チューブ５の一端は連結柱１５を通過して、第１環状キャビティ４に接続され、その他端は負圧源に接続される。
【００３１】
本実施形態において、連結柱１５は、第２頂面８の上に備えられ、第１接続チューブ５の一端は連結柱１５を通って連結柱１５に固定され、第１接続チューブ５は連結柱１５の一端を通過して第１環状キャビティ４に接続される。連結柱１５の端を通過する第１接続チューブ５の長さは、水平状態での第１頂面１の中心位置および第１環状キャビティ４の中心位置の間の直線距離より長い。すなわち、第２頂面８が水平状態にあるときに、第１接続チューブ５は曲線である。第１接続チューブ５の長さは、大きな曲率を有する体の部分に吸着されるとき、拡大した距離に適応することが可能であり、第１頂面を抑制しない。同時に、第１接続チューブ５は連結柱１５を介して第２頂面８に固定されているので、第１接続チューブ５が引っ張られるとき、力は最初に第２頂面８に印加され、第２頂面８は状況に応じた弾性的な変形により力を和らげることが可能であり、そのため、力が第１環状キャビティ４に直接届くのを防ぎ、第１環状キャビティの吸引力が弱まるのを防ぎ、そして、装置は落ちにくくなる。
【００３２】
好ましくは、第１接続チューブ５は、負圧源接続部１６および第１環状キャビティ接続部１７を更に含む。負圧源接続部１６は、第１環状キャビティ接続部１７に接続される。第１環状キャビティ接続部１７の一端は第１環状キャビティ４と接続され、第１環状キャビティ接続部１７が負圧源接続部１６と接続される箇所において、その他端は第２環状キャビティ１３と接続される。
【００３３】
好ましくは、第１環状キャビティ接続部１７の長さは、第１環状キャビティ４および第２環状キャビティ１３間の水平状態での直線距離より長い。
【００３４】
図４に示すように、本発明のもう一つの実施形態では、第１接続チューブ５は、負圧源接続部１６および第１環状キャビティ接続部１７を含む。第１環状キャビティ接続部１７の一端は第１環状キャビティ４に接続され、第１環状キャビティ接続部１７が負圧源接続部１６と接続される箇所において、その他端は第２環状キャビティ１３と接続される。ここで、第１環状キャビティ接続部１７の長さは、第１環状キャビティ４および第２環状キャビティ１３間の水平状態での直線距離より大きい。装置が大きな曲率を有する部分に使用されるときに、第１環状キャビティ接続部１７は、２つの端の間の距離の増加に適応し、第１頂面１が制御されるのを防ぐのに十分な長さを持つ。同時に、負圧源によって、第２環状キャビティ１３の下にある皮膚２０は第１接続チューブ５を通して吸引される。すなわち、第２頂面８の中心部は碇止され、空気が膨張し、または、圧力が徐々に上昇する状況において、膨張および突出をせず、このため、第１環状キャビティ４の吸引力は弱められるのを防がれることが可能であり、装置は落ちにくくなる。
【００３５】
好ましくは、経皮的薬剤配達装置は、第３環状壁２２および第４環状壁１１を更に含む。第３環状壁２２および第２頂面８は、第３環状キャビティ１８を構成する。第４環状壁１１および第２頂面８は、第４環状キャビティ１９を構成する。第２環状キャビティ１３、第３環状キャビティ１８および第４環状キャビティ１９は、互いに等しい距離で第２頂面８の上に配置される。
【００３６】
図７に示すように、本発明のもう一つの実施形態では、第３環状壁２２および第２頂面８は、第３環状キャビティ１８を構成する。第４環状壁１１および第２頂面８は、第４環状キャビティ１９を構成する。第２環状キャビティ１３、第３環状キャビティ１８および第４環状キャビティ１９は、互いに等しい距離で第２頂面８に配置される。３つの環状キャビティが好ましくは備えられるが、４つ、５つ、もしくは、より多い環状キャビティは全て、第２頂面８が膨張および外側へ突出するのを防ぐために、備える事を考慮することができる。本実施形態において、第２環状キャビティ１３、第３環状キャビティ１８および第４環状キャビティ１９を伝達する環状通路が、第２頂面８内に設けられる。第２頂面８は３つの部分で碇止され、このため、第２頂面８は効果的に抑制されることが可能になり、膨張および突出ができない。このように、第１環状キャビティ４の吸引力が弱められるのを防ぐ事が可能になり、落ちにくくなる。
【００３７】
本発明の他の実施形態において、好ましくは、第１接続チューブ５は第２環状キャビティ接続部および第３環状キャビティ接続部を含み、第２環状キャビティ接続部の一端は第３環状キャビティ１８に接続され、その他端は負圧源に接続される。第３環状キャビティ接続部の一端は第４環状キャビティ１９に接続され、その他端は負圧源に接続される。
【００３８】
本実施形態において、第２環状キャビティ１３と第２環状キャビティ接続部および第４環状キャビティ１９と第３環状キャビティ接続部の別々の接続によって、第２頂面８は薬の配達の前に、負圧力により３箇所で効果的に碇止および抑圧され、このため、第２頂面８は膨張および外向きに突出することができず、従って、第１環状キャビティ４の吸引力が弱められるのを防ぐ事ができ、アプリケーションディスクは落ちにくくなる。
【００３９】
図６に示すように、本発明のもう一つの実施形態において、好ましくは、皮膚２０が負圧力により過度に伸ばされ、損傷することを防ぐ環状クッション２５を更に含む。環状クッション２５は第１環状キャビティ４の中に配置される。
【００４０】
好ましくは、環状クッション２５は通気性の環状クッションである。
【００４１】
環状クッション２５は、第１環状キャビティ４の中に設けられる。皮膚２０は負圧力によって伸ばされ、皮膚２０がある程度伸ばされると環状クッション２５にぶつかり、このため、皮膚２０は過度に伸ばされて損傷を受けるのを防がれる。環状クッション２５は、第２環状キャビティ１３の中に設けられることが可能であり、また、第１環状キャビティ４の１つまたは２つの側に接続されることができる。あるいは、環状クッション２５の片側は第１頂面１に接続され、すなわち、環状クッション２５は接着剤によって、第１頂面１に付けられる事ができる。環状クッション２５は他の方法で第１環状キャビティ４に固定することもできるが、記載はしない。本実施形態における環状クッション２５は通気性の環状クッションでもよく、このとき、皮膚２０は、効果的に負圧源によって持ち上げられる事が可能である。もちろん、環状クッション２５は、通気を確実にすることができ、皮膚２０が過度に伸ばされて損傷を受けるのを防ぐ事が出来る綿のクッション、不織布クッションまたはその他でもよい。
【００４２】
上記は、本発明の好ましい実施形態に過ぎず、本発明を制限するものではなく、本発明の意図および原則の範囲内のどんな修正、等価の置き換え、および改良も全て、本発明の範囲に含まれる。
【図１】
2016507310.tif 000003
【図２】
2016507310.tif 000004
【図３】
2016507310.tif 000005
【図４】
2016507310.tif 000006
【図５】
2016507310.tif 000007
【図６】
2016507310.tif 000008
【図７】
2016507310.tif 000009
【国際調査報告】
2016507310.tif 000010
2016507310.tif 000011
2016507310.tif 000012
2016507310.tif 000013
2016507310.tif 000014
2016507310.tif 000015